(57)【特許請求の範囲】
【請求項１】
左後輪のブレーキ油圧を変化させる第１油圧系統及び右後輪のブレーキ油圧を変化させる第２油圧系統を備える車両の制動力を制御する制動力制御装置であって、
前記車両の各車輪の車輪速度を夫々検出する車輪速度検出手段と、
前記左後輪及び前記右後輪のいずれかの車輪速度が所定の条件を満たした場合に、前記車両の各車輪のうち前輪の動作量と、前記左後輪及び前記右後輪の動作量との差に基づいて前記第１油圧系統及び前記第２油圧系統を夫々制御することで、前記左後輪及び前記右後輪に対する制動力制御を夫々独立して行う制御手段と、
前記車両が悪路を走行していることを検出する悪路検出手段と、
前記車両が悪路を走行していることが検出されていると共に、前記左後輪及び前記右後輪のいずれかの車輪速度が前記所定の条件を満たしている場合に、前記左後輪及び前記右後輪の各々のブレーキ油圧を油圧保持制御するよう前記制御手段を制御する油圧保持制御手段と
を備えることを特徴とする制動力制御装置。
【請求項２】
前記車両の各車輪の車輪速度を用いて、前記車両の各車輪のスリップ率を算出するスリップ率算出手段を備え、
前記油圧保持制御手段は、前記車両が悪路を走行していることが検出されていると共に、前記車両の各車輪いずれか１つのスリップ率が所定の値を超えている場合に、前記左後輪及び前記右後輪の各々のブレーキ油圧を油圧保持制御するよう前記制御手段を制御する
ことを特徴とする請求項１に記載の制動力制御装置。
【請求項３】
前記油圧保持制御の後に、前記第１油圧系統及び前記第２油圧系統の各々に対して増減圧制御を行うよう前記制御手段を制御する増減圧制御手段を更に備えることを特徴とする請求項１又は２に記載の制動力制御装置。
【請求項４】
前記増減圧制御手段は、悪路を走行することに起因して前記車両に生ずる振動に基づいて、前記増減圧制御を行うよう前記制御手段を制御することを特徴とする請求項３に記載の制動力制御装置。
【請求項５】
前記増減圧制御手段は、前記振動に基づいて、前記増減圧制御を行うか否かを判定するための判定時間を設定し、前記各車輪の車輪速度の差が所定閾値を前記判定時間以上継続して上回る又は下回る場合に、前記増減圧制御を行うよう前記制御手段を制御することを特徴とする請求項４に記載の制動力制御装置。
【請求項６】
前記増減圧制御手段は、前記振動に基づいて前記増減圧制御を行う際の制御間隔を設定し、前記制御間隔を空けて前記増減圧制御を行うよう前記制御手段を制御することを特徴とする請求項４又は５に記載の制動力制御装置。
【請求項７】
前記車輪速度検出手段は、設定周波数より低い帯域のみを通過させるローパスフィルタを有しており、
前記増減圧制御手段は、前記振動に基づいて前記設定周波数を設定すると共に、前記ローパスフィルタを介して出力された前記各車輪の車輪速度を用いて前記増減圧制御を行うよう前記制御手段を制御する
ことを特徴とする請求項４から６のいずれか一項に記載の制動力制御装置。
【請求項８】
前記車両が旋回しているか否かを判定する旋回判定手段を更に備え、
前記増減圧制御手段は、前記車両が旋回していると判定された場合に、前記増減圧制御を行うよう前記制御手段を制御する
ことを特徴とする請求項３から７のいずれか一項に記載の制動力制御装置。
【発明の詳細な説明】
【技術分野】
【０００１】
本発明は、車両における制動力を車輪毎に調整可能とする制動力制御装置の技術分野に関する。
【背景技術】
【０００２】
この種の制動力制御装置として、例えば前輪及び後輪に対する制動力の配分を、各種条件に応じて自動的に配分して調整する制御（所謂、ＥＢＤ（Electronic Brake force Distribution）制御）を行うものが知られている。ＥＢＤ制御では、例えば前輪の車輪速度と後輪の車輪速度とが比較され、後輪の車輪速度の方が高い場合には後輪に対する制動力が強められる。
【０００３】
上述したＥＢＤ制御を実現する装置として、例えば特許文献１では、後輪の制動力配分を左右独立して行えるようにするという技術が提案されている。また特許文献２では、路面外乱に起因して車両の前後荷重が変化した場合に、ＥＢＤ制御の開始基準速度を通常より高い値に変更するという技術が提案されている。
【先行技術文献】
【特許文献】
【０００４】
【特許文献１】特開平１０−１３８８９５号公報
【特許文献２】特開平２００１−３１０７２５号公報
【発明の概要】
【発明が解決しようとする課題】
【０００５】
しかしながら、上述した特許文献１に記載されているような技術では、悪路を走行中に左右独立制御を実施してしまうと、制御の基準となる車輪速度が路面外乱の影響を受けるため、意図しない制動力左右差が付与され車両の挙動が不安定となってしまう。更には、油圧制御がハンチングを起こし、作動音の増大や耐久性の低下を招いてしまう。
【０００６】
また、上述した特許文献２に記載されているような技術では、悪路の走行時にＥＢＤ制御の開始基準値が高く設定されるため、運転者による急なブレーキペダルの操作に対応できず、適切な制動力の配分制御が行えなくなってしまう。
【０００７】
以上のように、左右独立したＥＢＤ制御を実施可能な車両では、悪路走行時に様々な不具合が発生してしまうおそれがある。
【０００８】
本発明は、例えば上述した問題点に鑑みなされたものであり、悪路走行時においても好適にＥＢＤ制御を実施可能な制動力制御装置を提供することを課題とする。
【課題を解決するための手段】
【０００９】
本発明の制動力制御装置は上記課題を解決するために、左後輪のブレーキ油圧を変化させる第１油圧系統及び右後輪のブレーキ油圧を変化させる第２油圧系統を備える車両の制動力を制御する制動力制御装置であって、前記車両の各車輪の車輪速度を夫々検出する車輪速度検出手段と、前記左後輪及び前記右後輪のいずれかの車輪速度が所定の条件を満たした場合に、前記車両の各車輪のうち前輪の動作量と、前記左後輪及び前記右後輪の動作量との差に基づいて前記第１油圧系統及び前記第２油圧系統を夫々制御することで、前記左後輪及び前記右後輪に対する制動力制御を夫々独立して行う制御手段と、前記車両が悪路を走行していることを検出する悪路検出手段と、前記車両が悪路を走行していることが検出されていると共に、前記左後輪及び前記右後輪のいずれかの車輪速度が前記所定の条件を満たしている場合に、前記左後輪及び前記右後輪の各々のブレーキ油圧を油圧保持制御するよう前記制御手段を制御する油圧保持制御手段とを備える。
【００１０】
本発明の制動力制御装置によれば、左後輪のブレーキ油圧変化させる第１油圧系統、及び右後輪のブレーキ油圧を変化させる第２油圧系統を備える車両の制動力が制御される。より具体的には、車両の各車輪には例えばホイールシリンダが設けられており、左後輪のホイールシリンダは一の配管を介して一の圧力室に接続されている。一方で、右後輪のホイールシリンダは一の配管とは液密的に分離された他の配管を介して他の圧力室に接続されている。
【００１１】
本発明の制動力制御装置の動作時には、車輪速度検出手段によって、各車輪の車輪速度が夫々検出される。車輪速度検出手段は、例えば車輪速度（言い換えれば、回転数）検出センサ等として構成されており、各車輪に対応するように複数設けられる。
【００１２】
各車輪の車輪速度が検出されると、制御手段によって左後輪及び右後輪のいずれかの車輪速度が所定の条件を満たしているか否かが判定される。尚、ここでの「所定の条件」とは、制御手段による左右独立した制動力制御を行うか否かを判定するための条件であり、例えば左後輪及び右後輪の車輪速度と前輪の車輪速度との差が所定の閾値を超えているか否かによって判定できる。また、各車輪の車輪速度はそのまま車輪速度の値として判定に用いられるだけでなく、例えば車輪速度から求められるスリップ率の値を判定に用いてもよい。このように、所定の条件を満たすか否かの判定には、車輪速度を利用して求めることができる様々なパラメータを用いることができる。
【００１３】
上述した所定の条件が満たされている場合、車両の各車輪のうち前輪の動作量と後輪の動作量との差が求められ、算出された動作量の差に基づいて第１油圧系統及び第２油圧系統の油圧が制御される。具体的には、前輪の車輪速度及び右後輪の車輪速度の差に基づいて、右後輪に対応する第２油圧系統の油圧が制御される。また、前輪の車輪速度及び左後輪の車輪速度の差に基づいて、左後輪に対応する第１油圧系統の油圧が制御される。或いは、前輪のスリップ率及び右後輪のスリップ率の差に基づいて、右後輪に対応する第２油圧系統の油圧が制御される。また、前輪のスリップ率及び左後輪のスリップ率の差に基づいて、左後輪に対応する第１油圧系統の油圧が制御される。即ち、ここでの「動作量」とは、車輪速度に加えて、車輪速度を用いて求められるスリップ率等の他のパラメータをも含んだ広い概念である。このような油圧制御によれば、車両の荷重移動に応じて左右独立した制動力配分が行えるため、好適なブレーキング動作を実現することができる。
【００１４】
本発明の制動力制御装置には更に、車両が悪路を走行していることを検出する悪路検出手段が備えられている。尚、ここでの「悪路」とは、上述した制動力配分制御に不具合を発生させる程度に、各車輪の車輪速度が大きく変化してしまうような道路であり、具体例としては舗装されていない道路、舗装はされているが荒れている道路、継ぎ目を有する道路等が挙げられる。悪路検出手段は、例えば路面から得られる路面信号や車輪速度の異常値等を用いて、車両が悪路を走行していることを検出する。
【００１５】
ここで本発明では特に、車両が悪路を走行していることが検出されていると共に、左後輪及び右後輪のいずれかの車輪速度が所定の条件を満たしている（即ち、左右独立した制動力制御の開始条件が満たされている）場合には、油圧保持制御手段によって、左後輪及び右後輪のブレーキ油圧の各々に対して油圧保持制御を行うよう制御手段が制御される。即ち、左後輪及び右後輪の制動力に差がない状態とされる。
【００１６】
仮に、悪路走行中において上述した油圧保持制御を行わない場合を考える。この場合、車輪速度検出手段において検出される各車輪の車輪速度は、路面外乱等の影響でノイズを含むものとなる。よって、悪路走行時において、通常通りの左右独立した制動力制御を実施してしまうと、実施タイミングが不適切なものとなり、制動力に意図しない左右差が発生してしまう。このような制動力の意図しない左右差は、車両の挙動を不安定にする原因となる。
【００１７】
しかるに本発明では、上述したように、悪路走行時に左右後輪の油圧保持制御が行われる。これにより、路面外乱等に起因する意図しない制動力差の発生を防止でき、車両の挙動を安定させつつ、適切な制動力配分を実施することができる。
【００１８】
また、悪路への対応として、制動力制御の開始閾値を高くする（即ち、制動力制御を通常より行われ難くする）方法も考えられるが、この場合、運転者による急な操作に対応する（即ち、操作に応じて適切な減速度を発生させる）ことが困難となってしまう。このような運転者の急操作に対しても、本発明に係る油圧保持制御によれば、確実に対応することが可能である。
【００１９】
以上説明したように、本発明の制動力制御装置によれば、左右独立した制動力制御を実施可能な車両において、悪路走行時に発生する様々な不都合を効果的に抑制することが可能である。
【００２０】
本発明の制動力制御装置の一態様では、前記車両の各車輪の車輪速度を用いて、前記車両の各車輪のスリップ率を算出するスリップ率算出手段を備え、前記油圧保持制御手段は、前記車両が悪路を走行していることが検出されていると共に、前記車両の各車輪いずれか１つのスリップ率が所定の値を超えている場合に、前記左後輪及び前記右後輪の各々のブレーキ油圧を油圧保持制御するよう前記制御手段を制御する。
【００２１】
この態様によれば、スリップ率算出手段によって、車両の各車輪のスリップ率が算出される。スリップ率は、例えば車体速度と各車輪の車輪速度との差から算出される。算出された各車輪のスリップ率は、所定の値を超えているか否か判定される。尚、ここでの「所定の値」とは、油圧保持制御を行うか否かを判定するための閾値であり、各車輪に対して同じ値が設定されていてもよいし、車輪毎に別々の値が設定されていてもよい。所定の値は、典型的には予め設定されているものであるが、適宜算出されるような値であっても構わない。
【００２２】
油圧保持制御手段は、各車輪のスリップ率が所定の値を超えている場合に、左後輪及び右後輪の各々のブレーキ油圧を油圧保持制御するよう制御手段を制御する。即ち、本態様のスリップ率が所定の値を超えている状態は、左後輪及び右後輪のいずれかの車輪速度が所定の条件を満たしている場合に相当する。本態様に係る油圧保持制御手段によれば、各車輪のスリップ率に応じて油圧保持制御が行われるため、確実に意図しない制動力差の発生を防止できる。従って、車両の挙動を安定させつつ、適切な制動力配分を実施することができる。
【００２３】
本発明の制動力制御装置の他の態様では、前記油圧保持制御の後に、前記第１油圧系統及び前記第２油圧系統の各々に対して増減圧制御を行うよう前記制御手段を制御する増減圧制御手段を更に備える。
【００２４】
この態様によれば、車両が悪路を走行していることが検出され、油圧保持制御が行われた後に、第１油圧系統及び第２油圧系統の各々に対して増減圧制御が行われる。具体的には、油圧保持制御を行った後に、各車輪の車輪速度が狙いの値より速い状態であれば、対応する油圧系統の油圧が増圧される。一方、油圧保持制御を行った後に、各車輪の車輪速度が狙いの値より遅い状態であれば、対応する油圧系統の油圧が減圧される。
【００２５】
上述した増減圧制御によれば、油圧保持制御の後に、車両の減速度を適切な値へと変化させることができる。よって、車両における好適なブレーキング動作を実現できる。尚、油圧保持制御の後に、どのような条件で増減圧制御に移行するかは、適宜設定することが可能である。
【００２６】
上述した増減圧制御手段を更に備える態様では、前記増減圧制御手段は、悪路を走行することに起因して前記車両に生ずる振動に基づいて、前記増減圧制御を行うよう前記制御手段を制御してもよい。
【００２７】
この場合、油圧保持制御後の増減圧制御が、車両に生ずる振動（例えば、振動の大きさや種別、継続時間等）に基づいて行われる。ここで特に、車両に生ずる振動は、路面の荒れ具合等に応じて変化する。よって、車両に生ずる振動に基づいて増減圧制御を行えば、車両が走行している悪路の状況に応じて、より適切な制動力を実現することが可能である。
【００２８】
上述した車両に生ずる振動に基づいて増減圧制御を行う態様では、前記増減圧制御手段は、前記振動に基づいて、前記増減圧制御を行うか否かを判定するための判定時間を設定し、前記各車輪の車輪速度の差が所定閾値を前記判定時間以上継続して上回る又は下回る場合に、前記増減圧制御を行うよう前記制御手段を制御してもよい。
【００２９】
この場合、増減圧制御が行われる際には、先ず車両に生ずる振動に基づいて判定時間が設定される。判定時間は、増減圧制御を行うか否かを判定するための基準値であり、長くなればなる程、増減圧制御が行われ難い（言い換えれば、開始され難い）状態となる。このため判定時間は、制動力制御への悪影響が大きいと考えられる程、長いものとして設定される。より具体的には、車両に生ずる振動が大きい程、長い値として設定される。尚、ここで設定される判定時間は、車両に生ずる振動によらず、良路（即ち、悪路以外の道路）を走行している際に用いられるものと比較して、長い値として設定される。
【００３０】
判定時間が設定されると、各車輪の車輪速度の差が所定閾値を判定時間以上継続して上回る又は下回る場合に、第１油圧系統及び第２油圧系統に対する増減圧制御が行われる。尚、ここでの「所定閾値」とは、車輪速度の差に対して設定される閾値であり、増減圧制御を開始する条件として予め設定される値である。
【００３１】
上述した判定時間を用いた制御によれば、検出された各車輪の車輪速度に含まれるノイズ等に起因して、不必要な増減圧制御が行われてしまうことを防止できる。即ち、油圧制御後に行われる増減圧制御を、より好適なタイミングで行うことが可能となる。これにより、作動音の悪化や耐久性の低下を回避することができる。
【００３２】
車両に生ずる振動に基づいて増減圧制御を行う態様では、前記増減圧制御手段は、前記振動に基づいて前記増減圧制御を行う際の制御間隔を設定し、前記制御間隔を空けて前記増減圧制御を行うよう前記制御手段を制御してもよい。
【００３３】
この場合、増減圧制御が行われる際には、先ず車両に生ずる振動に基づいて制御間隔が設定される。
制御間隔は、増減圧制御を行う間隔を示す値であり、長くなればなる程、増減圧制御が行われ難い（言い換えれば、頻度が少ない）状態となる。このため判定時間は、制動力制御への悪影響が大きいと考えられる程、長いものとして設定される。より具体的には、車両に生ずる振動が大きい程、長い値として設定される。尚、ここで設定される制御間隔は、車両に生ずる振動によらず、良路を走行している際に用いられるものと比較して、長い値として設定される。
【００３４】
制御間隔が設定されると、増減圧制御が設定された制御間隔を空けて（言い換えれば、制御間隔が経過する毎に）行われる。このような制御によれば、検出された各車輪の車輪速度に含まれるノイズ等に起因して、不必要な増減圧制御が行われてしまうことを防止できる。即ち、油圧制御後に行われる増減圧制御を、より好適なタイミングで行うことが可能となる。これにより、作動音の悪化や耐久性の低下を回避することができる。
【００３５】
車両に生ずる振動に基づいて増減圧制御を行う態様では、前記車輪速度検出手段は、設定周波数より低い帯域のみを通過させるローパスフィルタを有しており、前記増減圧制御手段は、前記振動に基づいて前記設定周波数を設定すると共に、前記ローパスフィルタを介して出力された前記各車輪の車輪速度を用いて前記増減圧制御を行うよう前記制御手段を制御してもよい。
【００３６】
この場合、車輪速度検出手段は、設定周波数より低い帯域のみを通過させるローパスフィルタを有するように構成されている。このため、車輪速度検出手段において検出された各車輪の車輪速度は、ローパスフィルタを介して出力される。即ち、増減圧制御には、ローパスフィルタを介して出力された車輪速度の差が用いられる。
【００３７】
増減圧制御が行われる際には、先ず車両に生ずる振動に基づいて上述したローパスフィルタの設定周波数（所謂、カットオフ周波数）が設定される。設定周波数は、低い値となればなる程、ローパスフィルタにおける通過を制限する。よって、設定周波数が低くなると、出力される車輪速度の値も小さくなり、結果的に増減圧制御が行われ難い（言い換えれば、開始され難い）状態となる。このため設定周波数は、制動力制御への悪影響が大きいと考えられる程、低いものとして設定される。より具体的には、車両に生ずる振動が大きい程、低い値として設定される。尚、ここで設定される設定周波数は、車両に生ずる振動によらず、良路を走行している際に用いられるものと比較して、低い値として設定される。
【００３８】
上述したようにローパスフィルタの設定周波数を、適宜設定するようにすれば、検出された各車輪の車輪速度に含まれるノイズ等に起因して、不必要な増減圧制御が行われてしまうことを防止できる。即ち、油圧制御後に行われる増減圧制御を、より好適なタイミングで行うことが可能となる。これにより、作動音の悪化や耐久性の低下を回避することができる。
【００３９】
本発明の制動力制御装置の他の態様では、前記車両が旋回しているか否かを判定する旋回判定手段を更に備え、前記増減圧制御手段は、前記車両が旋回していると判定された場合に、前記増減圧制御を行うよう前記制御手段を制御する。
【００４０】
この態様によれば、油圧保持制御後の増減圧制御が行われる前に、先ず車両が旋回しているか否かが判定される。尚、ここでの「旋回」とは、左右の車輪に対して制動力差を付与すべき程度に車両が旋回している状態を指しており、例えば車輪速度検出手段、或いはヨーレートセンサ、横Ｇセンサ、舵角センサ、傾斜センサ等によって検出できる。
【００４１】
車両が旋回していると判定されると、増減圧制御が行われる。一方で、車両が旋回していないと判定された場合には、増減圧制御は行われない。このため、車両が非旋回状態であるにもかかわらず、意図しない制動力左右差が付与され、車両の挙動が不安定になってしまうことを防止できる。
【００４２】
本発明の作用及び他の利得は次に説明する発明を実施するための形態から明らかにされる。
【図面の簡単な説明】
【００４３】
【図１】実施形態に係る制動力制御装置の構成を表してなる概略構成図である。
【図２】ＥＣＵの構成を示すブロック図である。
【図３】実施形態に係る制動力制御装置の動作を示すフローチャートである。
【発明を実施するための形態】
【００４４】
以下では、本発明の実施形態について図を参照しつつ説明する。
【００４５】
先ず、本実施形態に係る制動力制御装置の全体構成について、図１を参照して説明する。ここに図１は、実施形態に係る制動力制御装置の構成を表してなる概略構成図である。
【００４６】
図１において、本実施形態に係る制動力制御装置は、主に、車両に制動力を働かせる際に作動させる制動装置１と、この制動装置１を作動させることでＡＢＳ制御やＥＢＤ制御等の制動制御を実行させる制動制御手段としての電子制御装置（ＥＣＵ）２とを備えるように構成される。
【００４７】
ＥＣＵ２は、例えば図示しないＣＰＵ（中央演算処理装置）、所定の制動制御プログラム等を予め記憶しているＲＯＭ（Read Only Memory）、そのＣＰＵの演算結果を一時記憶するＲＡＭ（Random Access Memory）、予め用意された情報等を記憶するバックアップＲＡＭ等で構成されている。以下では、このＥＣＵ２の具体的な構成について、図２を参照して説明する。ここに図２は、ＥＣＵの構成を示すブロック図である。
【００４８】
図２において、ＥＣＵ２は、ブレーキ液圧制御部１１０と、ＥＢＤ制御部１２０と、悪路検出部１３０と、悪路走行制御部１４０とを備えて構成されている。
【００４９】
ブレーキ液圧制御部１１０は、制動装置１におけるブレーキ液圧を制御することによって、各車輪ＷＦＲ、ＷＦＬ、ＷＲＲ、ＷＲＬの制動力を変化させることができる。ブレーキ液圧制御部１１０は、例えば運転者によるブレーキペダル１０（図１参照）の操作量やそれに伴うマスタシリンダ圧等に基づいて制動力を変化させる。また、後述するＥＢＤ制御部１２０の指示によって、ＥＢＤ制御を実施することが可能である。
【００５０】
ＥＢＤ制御部１２０は、例えば車両の減速度に対して設定された閾値に基づいてＥＢＤ制御を行うべきか否かを判定し、ＥＢＤ制御を行うべきと判定した場合には、ブレーキ液圧制御部１１０に対してＥＢＤ制御を行うよう指示を出す。ＥＢＤ制御部１２０には、各車輪ＷＦＲ、ＷＦＬ、ＷＲＲ、ＷＲＬの車輪速度を検出する車輪速センサ８３ＦＲ、８３ＦＬ、８３ＲＲ、８３ＲＬ（図１参照）が接続されており、各車輪ＷＦＲ、ＷＦＬ、ＷＲＲ、ＷＲＬの車輪速度に応じてＥＢＤ制御が実施されることになる。尚、ＥＢＤ制御部１２０は、上述したブレーキ液圧制御部１１０と共に、本発明の「制御手段」の一例として機能する。具体的なＥＢＤ制御の方法については、後に詳述する。
【００５１】
悪路検出部１３０は、本発明の「悪路検出手段」の一例であり、車輪速センサ８３ＦＲ、８３ＦＬ、８３ＲＲ、８３ＲＬから得られる車輪速度の異常値や路面信号等を用いて、車両が悪路を走行していることを検出する。車両が悪路を走行していることが検出された場合は、その旨を示す情報が、後述する悪路走行制御部１４０に伝達される。
【００５２】
悪路走行制御部１４０は、車両が悪路を走行している場合に、ＥＢＤ制御部１２０に対して悪路走行時用の制御を行うように指示する。悪路走行制御部１４０は、例えばブレーキ液圧回路系統に対する油圧保持制御及び増減圧制御等を指示する。即ち、悪路走行制御部１４０は、本発明の「油圧保持制御手段」及び「増減圧制御手段」の一例として機能する。悪路走行時のより具体的な制御については、後に詳述する。
【００５３】
ＥＣＵ２は、上述した各部位を含んで構成された一体の電子制御ユニットであり、上記各部位に係る動作は、全てＥＣＵ２によって実行されるように構成されている。但し、上記各部位の物理的、機械的及び電気的な構成はこれに限定されるものではなく、例えばこれら各部位は、複数のＥＣＵ、各種処理ユニット、各種コントローラ或いはマイコン装置等各種コンピュータシステム等として構成されていてもよい。
【００５４】
図１に戻り、本実施例１の制動装置１は、所謂Ｘ配管のブレーキ液圧回路を有するものであって、少なくとも前輪ＷＦＲ及びＷＦＬ、後輪ＷＲＲ及びＷＲＬに対して個別の大きさの制動力を発生させることができるものである。但し、本実施形態に係る制動装置１は、Ｘ配管のブレーキ液圧回路を有するものに限られず、制動力制御を左右独立して実施可能であればよい。
【００５５】
制動装置１は、運転者によるブレーキペダル１０の操作量に応じたブレーキ液圧を発生させるブレーキ液圧発生手段２０と、ブレーキ液圧が供給されることで制動力を発生させる各車輪ＷＦＲ、ＷＦＬ、ＷＲＲ、ＷＲＬ毎の制動力発生手段（例えばホイールシリンダやキャリパ等）３０ＦＲ、３０ＦＬ、３０ＲＲ、３０ＲＬと、そのブレーキ液圧発生手段２０で発生したブレーキ液圧をそのまま又は各車輪ＷＦＲ、ＷＦＬ、ＷＲＲ、ＷＲＬ毎に調圧して夫々の制動力発生手段３０ＦＲ、３０ＦＬ、３０ＲＲ、３０ＲＬに供給するブレーキ液圧調整手段４０とを備えている。
【００５６】
ブレーキ液圧発生手段２０は、ブレーキペダル１０に入力された運転者のブレーキ操作に伴う操作圧力（ペダル踏力）を所定の倍力比で倍化させる制動倍力手段（ブレーキブースタ）２１と、この制動倍力手段２１により倍化されたペダル踏力をブレーキペダル１０の操作量に応じたブレーキ液圧（以下、「マスタシリンダ圧」という。）へと変換するマスタシリンダ２２と、ブレーキ液を貯留するリザーバタンク２３とを備える。
【００５７】
ここで、そのマスタシリンダ２２の内部には図示しない２つの油圧室が設けられており、夫々の油圧室に上記のマスタシリンダ圧が発生している。各油圧室で生成されたマスタシリンダ圧は、一方がブレーキ液圧調整手段４０の後述する第１ブレーキ液圧回路系統を介して右側前輪ＷＦＲ及び左側後輪ＷＲＬに供給され、他方がブレーキ液圧調整手段４０の後述する第２ブレーキ液圧回路系統を介して左側前輪ＷＦＬ及び右側後輪ＷＲＲに供給される。このような動作を実現するため、本実施形態に係る制動装置１には、各油圧室に一端が接続されると共に他端が第１ブレーキ液圧回路系統と第２ブレーキ液圧回路系統に夫々接続された第１の油圧配管２４及び第２の油圧配管２５が設けられている。
【００５８】
ブレーキ液圧調整手段４０は、上述した第１の油圧配管２４及び第２の油圧配管２５内のブレーキ液圧（マスタシリンダ圧）をそのまま又は調圧して夫々の制動力発生手段３０ＦＲ、３０ＦＬ、３０ＲＲ、３０ＲＬに供給する所謂ブレーキアクチュエータである。ブレーキ液圧調整手段４０は、ＥＣＵ２におけるブレーキ液圧制御部１１０の制御指令に従って作動する。
【００５９】
ブレーキ液圧調整手段４０は、右側前輪ＷＦＲ及び左側後輪ＷＲＬに対してブレーキ液圧を伝える第１ブレーキ液圧回路系統と、左側前輪ＷＦＬ及び右側後輪ＷＲＲに対してブレーキ液圧を伝える第２ブレーキ液圧回路系統とを備えている。尚、ここでの第１ブレーキ液圧回路系統は、本発明の「第１油圧系統」の一例であり、第２ブレーキ液圧回路系統は、本発明の「第２油圧系統」の一例である。ここでは、第１ブレーキ液圧回路系統を第１油圧配管２４に接続させる一方、第２ブレーキ液圧回路系統を第２油圧配管２５に接続させている。
【００６０】
ブレーキ液圧調整手段４０には、ブレーキ液圧発生手段２０から供給されてきたブレーキ液圧（つまり、マスタシリンダ圧）の検出を行うマスタシリンダ圧センサ４１が設けられている。このマスタシリンダ圧センサ４１は、第１の油圧配管２４及び第２の油圧配管２５のいずれか一方に配備され、その検出信号をＥＣＵ２におけるブレーキ液圧制御部１１０へと送信する。ここでは、マスタシリンダ圧センサ４１を第１油圧配管２４に設けるものとして例示している。
【００６１】
また、ブレーキ液圧調整手段４０は、第１及び第２のブレーキ液圧回路系統における夫々のブレーキ液の流量調節手段としてのマスタカット弁４２、４３を備えている。マスタカット弁４２、４３は、通常は開弁状態にある所謂常開式の流量調整用電磁弁であって、ＥＣＵ２のブレーキ液圧制御部１１０による通電に伴って弁開度の制御が実行される。つまり、マスタカット弁４２、４３は、通電量に応じて弁開度を制御することで後述する加圧ポンプ６９、７０から吐出されたブレーキ液の圧力を調節してマスタシリンダ２２側へ開放する。
【００６２】
ここで、このブレーキ液圧調整手段４０においては、第１油圧配管２４がマスタカット弁４２を介して連結通路４４に接続される一方、第２油圧配管２５がマスタカット弁４３を介して連結通路４５に接続される。そして、第１ブレーキ液圧回路系統の連結通路４４には、そこから分岐させるが如く２本の分岐通路４６、４７が接続され、第２ブレーキ液圧回路系統の連結通路４５には、そこから分岐させるが如く２本の分岐通路４８、４９が接続される。第１ブレーキ液圧回路系統においては、分岐通路４６、４７の各々が、夫々右側前輪ＷＦＲの油圧配管３１ＦＲと左側後輪ＷＲＬの油圧配管３１ＲＬに接続される。一方、第２ブレーキ液圧回路系統においては、分岐通路４８、４９の各々が、夫々右側後輪ＷＲＲの油圧配管３１ＲＲと左側前輪ＷＦＬの油圧配管３１ＦＬに接続される。
【００６３】
各分岐通路４６、４７、４８、４９上には、夫々に対応する制動力発生手段３０ＦＲ、３０ＦＬ、３０ＲＲ、３０ＲＬ毎のブレーキ液圧を調整可能なブレーキ液圧調圧部が車輪ＷＦＲ、ＷＦＬ、ＷＲＲ、ＷＲＬ毎に配設されている。ブレーキ液圧調圧部は、車輪ＷＦＲ、ＷＦＬ、ＷＲＲ、ＷＲＬ毎に用意された保持弁５０、５１、５２、５３とブレーキ液圧排出通路５４、５５、５６、５７と減圧弁５８、５９、６０、６１とで構成される。ここでは、各分岐通路４６、４７、４８、４９上に保持弁５０、５１、５２、５３が各々設けられており、更に各保持弁５０、５１、５２、５３よりも下流側にブレーキ液圧排出通路５４、５５、５６、５７が、夫々分岐通路４６、４７、４８、４９から分岐させるが如く接続されている。そして、各ブレーキ液圧排出通路５４、５５、５６、５７上には、夫々減圧弁５８、５９、６０、６１が設けられている。
【００６４】
上述した各保持弁５０、５１、５２、５３は、所謂常開式の電磁弁であって、非励磁状態の通常時には開弁状態にあり、ＥＣＵ２におけるブレーキ液圧制御部１１０による通電に伴って励磁状態となり閉弁させられるものである。一方、各減圧弁５８、５９、６０、６１は、所謂常閉式の電磁弁であって、非励磁状態の通常時には閉弁状態にあり、ブレーキ液圧制御部１１０による通電に伴って励磁状態となり開弁させられるものである。
【００６５】
また、ここでは、第１ブレーキ液圧回路系統の夫々のブレーキ液圧排出通路５４、５５を一纏めにするブレーキ液圧排出集合通路６２と、第２ブレーキ液圧回路系統の夫々のブレーキ液圧排出通路５６、５７を一纏めにするブレーキ液圧排出集合通路６３とが用意されており、ブレーキ液圧排出集合通路６２、６３は、補助リザーバ６４、６５に夫々接続されている。
【００６６】
更に、第１ブレーキ液圧回路系統においては、連結通路４４と各分岐通路４６、４７との分岐点から分岐してブレーキ液圧排出集合通路６２に接続されるポンプ通路６６が設けられている。同様に、第２ブレーキ液圧回路系統においては、連結通路４５と各分岐通路４８、４９との分岐点から分岐してブレーキ液圧排出集合通路６３に接続されるポンプ通路６７が設けられている。
【００６７】
ポンプ通路６６、６７には、１つの電動機６８によって駆動される加圧ポンプ６９、７０が夫々設けられている。これら各加圧ポンプ６９、７０は、マスタカット弁４２、４３側の各分岐点に向けてブレーキ液を吐出させるものであり、分岐通路４６、４７と分岐通路４８、４９に対して加圧されたブレーキ液圧を夫々供給する。つまり、第１ブレーキ液圧回路系統の加圧ポンプ６９は、右側前輪ＷＦＲと左側後輪ＷＲＬに発生させる制動力を増大させるべく、夫々に対応する制動力発生手段３０ＦＲ、３０ＲＬに供給するブレーキ液圧の増圧を行う。一方、第２ブレーキ液圧回路系統の加圧ポンプ７０は、左側前輪ＷＦＬと右側後輪ＷＲＲに発生させる制動力を増大させるべく、夫々に対応する制動力発生手段３０ＦＬ、３０ＲＲに供給するブレーキ液圧の増圧を行う。尚、電動機６８は、図示しないバッテリからの電力供給により駆動する。また、ポンプ通路６６、６７には、加圧ポンプ６９、７０から吐出された夫々のブレーキ液の脈動を回避するダンパ室７１、７２が夫々設けられている。
【００６８】
ブレーキ液圧調整手段４０には更に、第１の油圧配管２４及び第２の油圧配管２５から夫々分岐して補助リザーバ６４、６５に接続される吸入通路７３、７４が設けられており、夫々の吸入通路７３、７４の補助リザーバ６４、６５側にリザーバカット逆止弁７５、７６が設けられている。
【００６９】
このように構成した制動装置１は、その動作が上述したようにＥＣＵ２によって制御される。以下では、本実施形態に係る制動力制御装置の通常のブレーキング動作について、引き続き図１及び図２を参照して説明する。
【００７０】
本実施形態に係る制動力制御装置の動作時には、ＥＣＵ２におけるブレーキ液圧制御部１１０に、ブレーキペダル１０の操作量と、マスタシリンダ圧センサ４１により検出されたマスタシリンダ圧とが入力される。つまり、ＥＣＵ２には、運転者がブレーキペダル１０の操作によって制動要求を行ったときに検出されたブレーキペダル操作量と、その操作に伴い発生したマスタシリンダ圧と夫々が入力される。尚、ブレーキペダル１０の操作量としては、例えばブレーキペダル１０の踏み込み量やペダル踏力が挙げられ、図示しないペダルストロークセンサやペダル踏力センサ等によって検出される。
【００７１】
ＥＣＵ２におけるブレーキ液圧制御部１１０は、ブレーキペダル１０の操作量に基づいて運転者の要求車両制動力を演算する。そして、ＥＣＵ２のブレーキ液圧制御手段は、全ての車輪ＷＦＲ、ＷＦＬ、ＷＲＲ、ＷＲＬの制動力の合計によって要求車両制動力が車両に対して働くようにブレーキ液圧調整手段４０を制御する。尚、制動力発生手段３０ＦＲ、３０ＦＬ、３０ＲＲ、３０ＲＬの各々には、所定の又は車両の状態に応じた配分比でブレーキ液圧が配分される。
【００７２】
ブレーキ液圧制御部１１０は、制動力の増加を図るべく増圧制御を行う場合、制御対象の車輪ＷＦＲ、ＷＦＬ、ＷＲＲ、ＷＲＬに該当するマスタカット弁４２、４３と保持弁５０、５１、５２、５３を開弁させる一方、減圧弁５８、５９、６０、６１を閉弁させる。これにより、制御対象となる車輪ＷＦＲ、ＷＦＬ、ＷＲＲ、ＷＲＬにおいては、制動力発生手段３０ＦＲ、３０ＦＬ、３０ＲＲ、３０ＲＬに供給されるブレーキ液圧の増圧によって制動力が増えていく。
【００７３】
尚、ブレーキ液圧の増圧の際、加圧ポンプ６９、７０を駆動させずとも要求車両制動力を発生させることができるのであれば（言い換えれば、マスタシリンダ圧で要求車両制動力を車両に働かせることができるならば）、ブレーキ液圧制御手段は、電動機６８を停止させることで加圧ポンプ６９、７０を駆動させないようする。このときには、マスタシリンダ圧に応じたブレーキ液圧が制御対象の制動力発生手段３０ＦＲ、３０ＦＬ、３０ＲＲ、３０ＲＬに供給され、ブレーキ液圧に応じた制動力が各車輪ＷＦＲ、ＷＦＬ、ＷＲＲ、ＷＲＬに発生するため、要求車両制動力を満足させる車両制動力が車両に働く。以下では、加圧ポンプ６９、７０を駆動させずに発生させた各車輪ＷＦＲ、ＷＦＬ、ＷＲＲ、ＷＲＬの制動力の合計のことを適宜「基準車両制動力」と称する。
【００７４】
ブレーキ液圧の増圧の際には、基準車両制動力を最大限の大きさで発生させたとしても、その基準車両制動力が要求車両制動力に満たない場合がある。即ち、マスタシリンダ圧に基づいた基準車両制動力のみでは要求車両制動力を車両に発生させることができない場合がある。よって、この場合のブレーキ液圧制御手段は、制御対象の車輪ＷＦＲ、ＷＦＬ、ＷＲＲ、ＷＲＬに該当する保持弁５０、５１、５２、５３を開弁させる一方、マスタカット弁４２、４３及び減圧弁５８、５９、６０、６１を閉弁させ、その不足分に相当する車両制動力（以下、適宜「差圧車両制動力」と称する）が発生するように電動機６８及び加圧ポンプ６９，７０を駆動させる。つまり、ここでは不足分に応じた加圧量（即ち、吐出量や吐出圧）でブレーキ液が加圧されるようにマスタカット弁４２、４３と電動機６８と加圧ポンプ６９、７０とが駆動される。これにより、不足分のブレーキ液圧が制御対象の制動力発生手段３０ＦＲ、３０ＦＬ、３０ＲＲ、３０ＲＬに対して増圧されるので、要求車両制動力を満足させる基準車両制動力と差圧車両制動力を合わせた車両制動力が車両に働く。
【００７５】
ブレーキ液圧制御部１１０は、制動力の減少を図るべく減圧制御を行う場合、制御対象の車輪ＷＦＲ、ＷＦＬ、ＷＲＲ、ＷＲＬに対応する保持弁５０、５１、５２、５３を閉弁させる一方、減圧弁５８、５９、６０、６１を開弁させる。これにより、制御対象となる車輪ＷＦＲ、ＷＦＬ、ＷＲＲ、ＷＲＬにおいて、制動力発生手段３０ＦＲ、３０ＦＬ、３０ＲＲ、３０ＲＬに供給されるブレーキ液圧の減圧によって制動力が減っていく。
【００７６】
また、ブレーキ液圧制御部１１０は、制動力発生手段３０ＦＲ、３０ＦＬ、３０ＲＲ、３０ＲＬのブレーキ液圧の増減が済んだ後、制御対象となる車輪ＷＦＲ、ＷＦＬ、ＷＲＲ、ＷＲＬに対応する保持弁５０、５１、５２、５３と、減圧弁５８、５９、６０、６１を閉弁させてブレーキ液圧を保持させる保持制御を行うことがある。保持制御によれば、制御対象となる車輪ＷＦＲ、ＷＦＬ、ＷＲＲ、ＷＲＬにおいて、制動力発生手段３０ＦＲ、３０ＦＬ、３０ＲＲ、３０ＲＬのブレーキ液圧が一定に保持されるので、制動力が一定に保たれる。
【００７７】
次に、本実施形態に係る制動力制御装置によるＥＢＤ制御について、図１及び図２に加え、図３を参照して詳細に説明する。ここに図３は、本実施形態に係る制動力制御装置の動作を示すフローチャートである。
【００７８】
図３において、本実施形態に係る制動力制御装置では、ＥＢＤ制御の開始条件が満たされると（ステップＳ０１：ＹＥＳ）、ＥＢＤ制御が開始される（ステップＳ０２）。即ち、ＥＣＵ２において、ＥＢＤ制御部１２０によるブレーキ液圧制御部１１０に対する制御が開始される。尚、ＥＢＤ制御の開始条件としては、例えば各車輪ＷＦＲ、ＷＦＬ、ＷＲＲ、ＷＲＬの車輪速度の差が所定値以上である状態が一定期間継続している等の条件を用いることができる。
【００７９】
ＥＢＤ制御時には、先ず右前輪ＷＦＲ及び左前輪ＷＦＬの少なくとも一方の車輪速度と、右後輪ＷＲＲ及び左後輪ＷＲＬの車輪速度とが比較され、算出された車輪速度の差に基づいて第１ブレーキ液圧回路系統及び第２ブレーキ液圧回路系統のブレーキ液圧が制御される。より具体的には、右前輪ＷＦＲ及び左前輪ＷＦＬいずれかの車輪速度及び右後輪ＷＲＲの車輪速度差に基づいて、右後輪ＷＲＲに対応する第２ブレーキ液圧回路系統のブレーキ液圧が制御される。また、右前輪ＷＦＲ及び左前輪ＷＦＬいずれかの車輪速度及び左後輪ＷＲＬの車輪速度差に基づいて、左後輪ＷＲＬに対応する第１ブレーキ液圧回路系統のブレーキ液圧が制御される。また、車輪速度差に代えて、車輪速度を用いて算出されるスリップ率差を用いることもできる。このような制御によれば、車両の荷重移動に応じて適切な制動力配分が行えるため、極めて適切なブレーキングを実現することができる。
【００８０】
ここで本実施形態では特に、上述したＥＢＤ制御時には、ＥＣＵ２における悪路検出部１３０によって、車両が悪路を走行しているか否かが判定される（ステップＳ０３）。そして特に、車両が悪路を走行していると判定された場合には（ステップＳ０３：ＹＥＳ）、ステップＳ０４以降に示す悪路走行制御部１４０による制御が行われることになる。即ち、ＥＢＤ制御の開始条件が満たされており、且つ車両が悪路を走行している場合には、ステップＳ０４以降の処理が行われる。一方で、車両が悪路を走行していないと判定された場合には（ステップＳ０３：ＮＯ）、通常のＥＢＤ制御が行われる（ステップＳ１１）。尚、ステップＳ０１におけるＥＢＤ制御の開始条件に対する判定と、ステップＳ３における車両が悪路を走行しているか否かの判定は、互いに相前後して行なわれてもよい。
【００８１】
悪路走行制御部１４０は、車両が悪路を走行していると判定されると、先ずＥＢＤ制御部１２０に対して左後輪ＷＲＬ及び右後輪ＷＲＲの各々に対応するブレーキ液圧を保持するように指示を出す（ステップＳ０４）。これにより、ＥＢＤ制御部１２０がブレーキ液圧制御部１１０を制御し、結果として、左後輪ＷＲＬ及び右後輪ＷＲＲの各々においてブレーキ圧が保持された状態となる。
【００８２】
ここで仮に、悪路走行中において上述した油圧保持制御が行われない場合を考える。この場合、車輪速センサ８３ＦＲ、８３ＦＬ、８３ＲＲ、８３ＲＬにおいて検出される各車輪の車輪速度は、路面外乱等の影響でノイズを含むものとなる。よって、悪路走行時において、通常通りのＥＢＤ制御を実施してしまうと、左後輪ＷＲＬと右後輪ＷＲＲとの間に意図しない制動力差が発生してしまい、車両の挙動が不安定になってしまうおそれがある。これに対し本実施形態では、上述したように、悪路走行時に左後輪ＷＲＬ及び右後輪ＷＲＲに対して同時に油圧保持制御が行われる。よって、制動力に意図しない左右差が発生してしまうことを防止でき、車両の挙動を安定させつつ、適切にＥＢＤ制御を実施することができる。
【００８３】
続いて悪路走行制御部１４０は、悪路を走行することに起因して車両に生ずる振動（例えば、振動の大きさや種別、継続時間等）に基づいて、ＥＢＤ制御による増減圧制御を実施するか否かを判定するための判定時間を設定する（ステップＳ０５）。尚、車両に生ずる振動は、悪路検出部１３０において、車輪速センサ８３ＦＲ、８３ＦＬ、８３ＲＲ、８３ＲＬや路面信号から検出されたものであってもよいし、別途設けられた振動センサ等によって検出されたものであってもよい。判定時間は、例えば車両に生ずる振動が大きい程、長い値として設定される。ちなみに、判定時間が長くなればなる程、ＥＢＤ制御による増減圧制御は開始され難い状態となる。
【００８４】
尚、上述した判定時間は、ステップＳ０１におけるＥＢＤ制御の開始条件として使用することもできる。この場合は、ステップＳ０１が実施される前に、先ずステップＳ０３の悪路の検出が行われる。そして、車両が悪路を走行している場合に、ステップＳ０５の判定時間の設定が行われ、設定された判定時間を用いてステップＳ０１のＥＢＤ制御の開始条件が判定される。
【００８５】
また悪路走行制御部１４０は、車両に生ずる振動に基づいて、ＥＢＤ制御による増減圧制御を実施する際の制御間隔を設定する（ステップＳ０６）。制御間隔は、例えば車両に生ずる振動が大きい程、長い値として設定される。ちなみに、判定時間が長くなればなる程、ＥＢＤ制御の実施される頻度は少なくなる。
【００８６】
悪路走行制御部１４０は更に、車両に生ずる振動に基づいて、車輪速センサ８３ＦＲ、８３ＦＬ、８３ＲＲ、８３ＲＬに設けられるローパスフィルタのカットオフ周波数を設定する。カットオフ周波数は、低い値となればなる程、ローパスフィルタにおける通過を制限する。よって、カットオフ周波数が低くなればなる程、出力される車輪速度の値も小さくなり、結果的にＥＢＤ制御による増減圧制御が開始され難い状態となる。
【００８７】
悪路走行制御部１４０は、上述した各種パラメータを設定すると、車両が旋回しているか否かを判定する（ステップＳ０８）。車両が旋回しているか否かは、例えば車輪速センサ８３ＦＲ、８３ＦＬ、８３ＲＲ、８３ＲＬ、或いは図示しないヨーレートセンサ、横Ｇセンサ、舵角センサ、傾斜センサ等によって検出できる。
【００８８】
ここで、車両が旋回していると判定されると（ステップＳ０８：ＹＥＳ）、ステップＳ０５〜Ｓ０７で設定した各種パラメータを用いて、ＥＢＤ制御による増減圧制御を開始する条件を満たしているか否かが判定される（ステップＳ０９）。具体的には、ステップＳ７で設定されたカットオフ周波数のローパスフィルタを介して出力された車輪速度から、各車輪ＷＦＲ、ＷＦＬ、ＷＲＲ、ＷＲＬの車輪速度の差が求められる。そして、車輪速度の差が所定値以上となっている期間が、ステップＳ５で設定された判定時間以上継続して上回る又は下回る場合に（ステップＳ０９：ＹＥＳ）、ステップＳ６で設定された制御間隔でＥＢＤ制御による増減圧制御が実施される（ステップＳ１０）。尚、上述した増減圧制御を行うか否かの判定には、各車輪ＷＦＲ、ＷＦＬ、ＷＲＲ、ＷＲＬの車輪速度をそのまま車輪速度の値として用いるだけでなく、例えば車輪速度から求められるスリップ率の値を用いてもよい。具体的には、例えば前輪ＷＦＲ、ＷＦＬ及び後輪ＷＲＲ、ＷＲＬのスリップ率の差が所定の閾値を超えているかが判定される。このように、増減圧制御の開始条件の判定には、車輪速度を利用して求めることができる様々なパラメータを用いることができる。
【００８９】
上述した新たな設定値を用いる制御によれば、検出された各車輪ＷＦＲ、ＷＦＬ、ＷＲＲ、ＷＲＬの車輪速度に含まれるノイズ等に起因して、不必要なＥＢＤ制御（即ち、左後輪ＷＲＬ及び右後輪ＷＲＲに対する増減圧制御）が行われてしまうことを防止できる。これにより、作動音の悪化や耐久性の低下を回避することができる。また、上述した各種パラメータを設定するために用いた車両に生ずる振動は、路面の荒れ具合等に応じて変化するものである。従って、車両が走行している悪路の状況に応じて、より適切な制動力を実現することが可能である。
【００９０】
以上説明したように、本実施形態に係る制動力制御装置によれば、悪路走行時においても、左右独立したＥＢＤ制御を好適に実施可能である。
【００９１】
本発明は、上述した実施形態に限られるものではなく、特許請求の範囲及び明細書全体から読み取れる発明の要旨或いは思想に反しない範囲で適宜変更可能であり、そのような変更を伴う制動力制御装置もまた本発明の技術的範囲に含まれるものである。
【符号の説明】
【００９２】
１…制動装置、２…ＥＣＵ、１０…ブレーキペダル、２０…ブレーキ液圧発生手段、２４…第１油圧配管、２５…第２油圧配管、３０…制動力発生手段、４０…ブレーキ液圧調整手段、８３…車輪速センサ、１１０…ブレーキ液圧制御部、１２０…ＥＢＤ制御部、１３０…悪路検出部、１４０…悪路走行制御部、ＷＦＲ，ＷＦＬ，ＷＲＲ，ＷＲＬ…車輪
【図１】
0005601194.tif 000002
【図２】
0005601194.tif 000003
【図３】
0005601194.tif 000004